(57)【要約】【課題】自動車の安全な走行に必要な照度範囲を確保しつつ、道路照明器具の配置個数を減らすことを可能とする、道路照明用の光反射板の提供。【解決手段】光反射板１を、道路照明用に特化し、その光反射面５を湾曲させ、凸面と凹面が併存した状態にしており、上半部が凸面鏡７、下半部が凹面鏡１１になっている。それぞれの凸頂部９と凹底部１３は、横方向に直線状に延びている。この反射板１をトンネルに設置すると、常設の照明器具の光や走行する自動車のヘッドライトの光を反射する。主に凸面鏡７側が、常設の照明器具の光や走行する自動車のヘッドライトの光を反射して、トンネルの内部の全体を照らすので、常設の照明器具を減らすことができる。また、凹面鏡１１側は路面に光ラインを描くので、そのライン光で白線を明るく照らしたり、自動車の走行方向前方の路面にラインを描いたりして、走行の際に直進性の目標に利用できる。【選択図】  図１
0003201296.tif 000002
【実用新案登録請求の範囲】
【請求項１】
光反射面が湾曲し、凸面と凹面が併存していることを特徴とする道路照明用の光反射板。
【請求項２】
請求項１に記載した道路照明用の光反射板において、
光反射面の上半部が凸面、下半部が凹面に形成されていることを特徴とする光反射板。
【請求項３】
請求項１または２に記載した道路照明用の光反射板において、
凸頂部と凹底部は、横方向に直線状に延びていることを特徴とする光反射板。
【請求項４】
請求項１から３のいずれかに記載した道路照明用の光反射板において、
光反射板は正面視が四角形であることを特徴とする光反射板。
【考案の詳細な説明】
【技術分野】
【０００１】
本考案は道路照明用の光反射板に係り、特にトンネル内での利用に適した道路照明用の光反射板に関するものである。
【背景技術】
【０００２】
道路照明器具は自動車が安全に走行するために従来から利用されているが、特に太陽光が届かないトンネル内においては欠かせないものとなっており、その内壁面に多数配置されている。
最近では、省エネルギーを意識して、種々の提案がなされているが、その一例が特許文献１に記載された道路照明器具である。この道路照明器具は、ＬＥＤを人工光源として利用し、ＬＥＤからの放射光の光取り出し効率を向上させることで、省電力、長寿命と言ったＬＥＤの特性を生かしつつ、ＬＥＤユニットの配置個数を減らせると教示されている。
【先行技術文献】
【特許文献】
【０００３】
【特許文献１】特開２０１４−２２９４９７号公報
【考案の概要】
【考案が解決しようとする課題】
【０００４】
而して、道路照明器具の光の照射方向はその対向方向であるため、例えば、道路照明器具をトンネルの左右方向の内壁面のうち左側にだけ設置すると、対向する右側の内壁面側を照らすことはできるが、設置元の左側の内壁面側を照らすことができない。
また、道路照明器具を左右方向の内壁面に設置する場合には、どうしても、路面の照明が不十分となる。
特許文献１には、ＬＥＤユニットの配置個数を減らせると教示されているが、そこに開示されたアイデアだけでは、上記した事情がある以上、その配置個数を減らすには限界がある。
【０００５】
本考案は上記従来の問題点に着目して為されたものであり、自動車の安全な走行に必要な照度範囲を確保しつつ、道路照明器具の配置個数を減らすことを可能とする、新規且つ有用な道路照明用の光反射板を提供することを、その目的とする。
【課題を解決するための手段】
【０００６】
本考案は上記課題を解決するためになされたものであり、請求項１の考案は、光反射面が湾曲し、凸面と凹面が併存していることを特徴とする道路照明用の光反射板である。
【０００７】
請求項２の考案は、請求項１に記載した道路照明用の光反射板において、光反射面の上半部が凸面、下半部が凹面に形成されていることを特徴とする光反射板である。
【０００８】
請求項３の考案は、請求項１または２に記載した道路照明用の光反射板において、凸頂部と凹底部は、横方向に直線状に延びていることを特徴とする光反射板である。
【０００９】
請求項４の考案は、請求項１から３のいずれかに記載した道路照明用の光反射板において、光反射板は正面視が四角形であることを特徴とする光反射板である。
【考案の効果】
【００１０】
本考案の道路照明用の光反射板は、道路照明器具に代わって使用することができるので、道路照明器具の配置間隔をあけて配置個数を減らすことが可能となる。
また、路面の任意の箇所に照準を当ててより明るく照らすことができるので、白線等、特に視認の目標とする箇所をより明るく照らすことができ、自動車の走行の一層の安全確保にも寄与する。
【図面の簡単な説明】
【００１１】
【図１】本考案の実施の形態に係る道路照明用の光反射板の斜視図である。
【図２】図１の光反射板の正面図、平面図、底面図及び左右の側面図である。
【図３】図１の光反射板の反射状態を説明するための図である。
【図４】図１の光反射板の反射状態を、図３とは別の方向から、説明するための図である。
【図５】図１の光反射板をトンネル内に設置した例における、常設照明器具からの放射光を入射光としたときの照射状況を説明するための図である。
【図６】図１の光反射板をトンネル内に設置した例における、常設照明器具からの放射光を入射光としたときの照射状況を、図５とは別の方向から、説明するための図である。
【図７】図１の光反射板をトンネル内に設置した例における、自動車のヘッドライトからの放射光を入射光としたときの照射状況を説明するためのイメージ図である。
【考案を実施するための形態】
【００１２】
本考案の実施の形態に係る道路照明用の光反射板１を図面にしたがって説明する。
図１、図２に示すように、光反射板１の本体３の表面が光反射面５になっている。この本体３は、一枚の四角形のステンレス鋼板で構成されている。
【００１３】
本体３には金型を利用した曲げ加工が施されており、上半部の光反射面は表方向に向かって緩やかに凸状に湾曲して膨出しており、凸面鏡７になっている。この凸面鏡７の湾曲中心である凸頂部９は直線状に左右方向に延びている。
一方、下半部の光反射面は表方向に向かって緩やかに凹状に湾曲して陥没しており、凹面鏡１１になっている。この凹面鏡１１の湾曲中心である凹底部１３も同様に直線状に左右方向に延びている。但し、凸頂部９が横方向を向いているのに対して、凹底部１３はやや下方を向いている。
【００１４】
このように、一枚の板で構成された本体３の光反射面５は凸面と凹面が併存した状態になっている。
一枚の板で凸面鏡７を構成し、別の一枚の板で凹面鏡１１を構成した場合には、それらを並べ、別の部材を連結部材として用いてネジ等を用いて連結することになり、接触した異種部材の間で温度差が生じ易くなる。温度差が生じると結露が発生して、鏡面が曇るため反射性能が落ちたり、腐食が発生したりするが、この反射板１によれば、そのような不都合は生じない。
また、四角形に規格化できるので、積み重ねて保管でき、取扱いが容易になっている。
【００１５】
次に、反射板１の反射状態を説明する。
図３は、反射板１の反射状態を、上下方向から説明した図である。
反射板１の上半部の凸面鏡７に入射した光が反射するときは、黒矢印に示すように、上下左右に広がるので、常設の道路照明器具と同じように周囲を明るく照らすことができる。
また、下半部の凹面鏡１１に入射した光が反射するときは、白矢印に示すように、優先的に下方に向かって収束するので、常設の道路照明器具からの照射光が届き難い側に焦点を当てて明るく照らすことができる。
【００１６】
図４は、反射板１の下半部の凹面鏡１１の反射状態を、左右方向から説明した図である。
下半部の凹面鏡１１に入射した光が反射するときは収束して、路面を照らすことになる。凹面鏡１１の後ろ側を左方向に傾かせれば、収束方向が、白矢印に示すように、前方にずれることになる。
【００１７】
図５は、トンネルＴの内壁面に反射板１を設置した状態を示す。
トンネルＴには、左側の内壁に、天井寄りに照明器具として常設灯Ｊが設置されている。この常設灯Ｊは、トンネルＴの伸長方向、すなわちこの図５では紙面を貫通する方向に向かって一列に所定の間隔をあけて並んだ状態で複数設置されている。右側の内壁にも、同様に、常設灯Ｊが複数設置されている。左側に設置された常設灯Ｊと、右側に設置された常設灯Ｊは互い違いになっている。
図５では、視認の便宜のために、左側の常設灯Ｊだけが示されている。
【００１８】
常設灯Ｊに対向して、左右方向反対側の内壁に、反射板１が設置されている。設置位置は常設灯Ｊよりもかなり低くなっており、１．５〜２．５ｍの高さになっている。
図５、図６は、左側の常設灯Ｊに対向して、反射板１が右側の内壁に設置された状態が示されている。
常設灯Ｊからは、矢印に示すように、照射光が広い角度範囲にわたって広がりながら出ており、その一部は反射板１の反射面５に到達し入射して、矢印のように反射する。
【００１９】
反射面５のうち上半部の凸面鏡７に入射した光が反射するときは、図３の黒矢印に示すように、左右方向反対側の内壁に向かって広がるので、常設灯Ｊと同じような広い照度範囲を確保できる。従って、常設灯Ｊの代用照明器具として、常設灯Ｊと協働して、トンネルＴの内部全体を効率良く照らす。
また、下半部の凹面鏡１１に入射した光が反射するときは、図３の白矢印に示すように収束するので、路面Ｒに向かう。一段上がった歩道Ｈの近傍には白線Ｗが描かれており、反射板１の設置高さや角度が調整されているので、白線Ｗ上を収束した光が照らす。このように、反射板１による照射により、白線Ｗ上に視認するのに十分な光を確実に届けることができる。
【００２０】
反射板１は、自動車ＭのヘッドライトＦから照射された光も入射するので、この照射光も凸面鏡７に入射して、常設灯Ｊからの照射光と共に、トンネルＴの内部の全体を照らすのに寄与する。
さらに、図７のイメージ図に示すように、反射板１は板面が自動車Ｍの走行方向に対して若干傾いて設置されており、また、設置高さも自動車ＭのヘッドライトＦの高さに近い位置にあるので、反射光が矢印に示すように、自動車Ｍの走行方向前方の路面Ｒに向かい、路面Ｒを照らす。この照射部分は、前後方向にライン状に連なるので、自動車Ｍの走行方向前方の路面Ｒにライン光Ｌが描かれることになる。このライン光Ｌは、自動車Ｍの走行中は、走行方向前方に延びていくので、白線Ｗと共に、自動車Ｍの走行の際の直進性を視認する際の目標に利用できる。
【００２１】
上記したように、常設灯ＪやヘッドライトＦからの照射光の一部を反射板１が受け取ることで、反射板１も照明器具として働く。反射板１は、常設灯Ｊと同じような照射作用を果たすだけでなく、路面Ｒの自動車Ｍの走行方向前方にライン光Ｌを描いたり、白線Ｗを照らして視認し易くしたりしている。
従って、反射板１を常設灯Ｊと併用すれば、常設灯Ｊの配置個数を減らすだけでなく、白線Ｗ等、自動車Ｍの走行中視認の目標としたい箇所を常設灯Ｊだけを並べて設置した場合より明るく照らすので、自動車Ｍの安全走行を高めることにもつながっている。
さらに、反射板１は汚れが付着しても容易に洗い流せるので、メンテナンスコストの大幅な削減が期待できる。 
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば、反射板１の素材は、ステンレス鋼板になっているが、例えば、積水樹脂株式会社の「メタカラー」（登録商標）を使用し、プレス加工により反射面５を形成することも考えられる。このメタカラーは、樹脂板にステンレス箔を貼着させたものになっている。
【産業上の利用可能性】
【００２３】
道路照明用の照明器具との併用器具として、道路照明用に利用できる。
【符号の説明】
【００２４】
１…道路照明用の光反射板      ３…本体              ５…光反射面
７…凸面鏡                    ９…天頂部          １１…凹面鏡
１３…底頂部
Ｔ…トンネル                  Ｒ…路面              Ｈ…歩道
Ｗ…白線                      Ｊ…常設灯
【図１】
0003201296.tif 000003
【図２】
0003201296.tif 000004
【図３】
0003201296.tif 000005
【図４】
0003201296.tif 000006
【図５】
0003201296.tif 000007
【図６】
0003201296.tif 000008
【図７】
0003201296.tif 000009